(57)【要約】【課題】圧縮音声データの圧縮率およびジャンルに応じてイコライザを自動で設定することにより、再生される音声の音質を改善するオーディオ機器制御装置を提供する。【解決手段】制御部１９は、ＨＤＤ３４、半導体メモリ３５やＤＡＰ５１に記録されている圧縮音声データからビットレートおよびジャンルを読み込む。圧縮された音声データに基づいて再生される音声は、ビットレートおよびジャンルに応じて音質が変化する。そして、制御部１９は、読み込んだビットレートおよびジャンルに基づいてイコライザ４２を設定する。これにより、音声データは、ビットレートおよびジャンルに応じて周波数特性が調整される。したがって、圧縮音声データのビットレートおよびジャンルに応じてイコライザ４２を自動で設定することができ、再生される音声の音質を改善することができる。【選択図】図１
2009288512.tif 000002
【特許請求の範囲】
【請求項１】
記録媒体に記録されている圧縮形式の音声データを読み込んで再生する再生手段と、
前記再生手段で再生される前記音声データに基づく音声の周波数特性を調整するイコライザと、
前記音声データから、ビットレートおよび再生される音声のジャンルを読み込み、読み込んだ前記ビットレートおよび前記ジャンルに基づいて前記イコライザを設定するイコライザ設定手段と、
を備えることを特徴とするオーディオ機器制御装置。
【請求項２】
前記イコライザ設定手段に前記ビットレートおよび前記ジャンルに基づく複数の設定情報を入力する入力手段をさらに備えることを特徴とする請求項１記載のオーディオ機器制御装置。
【請求項３】
前記イコライザ設定手段は、前記音声データから読み込んだビットレートおよびジャンルに基づいて、複数の設定情報のうち適当な設定情報を選択して前記イコライザを設定することを特徴とする請求項２記載のオーディオ機器制御装置。
【発明の詳細な説明】
【技術分野】
【０００１】
本発明は、オーディオ機器制御装置に関し、特に圧縮された音声データに基づく音声を再生するオーディオ機器制御装置に関する。
【背景技術】
【０００２】
従来、車両のオーディオ機器制御装置は、設置スペースの確保などの観点からナビゲーション装置との一体化が図られている。このオーディオ機器制御装置は、例えばＴＶやラジオの受信器、およびＣＤやＭＤの再生装置で構成されている。近年では、ＭＰ３やＷＭＡなどの圧縮音声データが普及している。そのため、オーディオ機器制御装置は、半導体メモリやＨＤＤなどに記録された圧縮音声データの再生も可能となっている。そこで、特許文献１には、例えばＴＶ、ラジオ、ＣＤ、ＭＤ、ＤＶＤ、ＭＰ３あるいはＷＭＡなど、種々の再生装置を順に動作させるオーディオ機器制御装置が開示されている。特許文献１では、種々の再生装置を順に動作させることにより、ユーザによる操作の負担の軽減を図っている。
【０００３】
ところで、上述のようなＭＰ３やＷＭＡの圧縮音声データは、記録容量の低減を図るために圧縮されている。しかしながら、圧縮音声データに基づいて再生される音声は、圧縮音声データの圧縮率が大きくなるほど、例えばＣＤ−ＤＡなどで記録された原音に比較して音質が低下する。また、このように圧縮音声データに基づく音声を、原音に近似して再生するには、圧縮音声データに基づく音声の圧縮率やジャンルに応じて再生される音声ごとにイコライザを操作する必要がある。その結果、再生の処理に必要な操作が繁雑になるという問題がある。
【特許文献１】特開２００６−６５９８２号公報
【発明の開示】
【発明が解決しようとする課題】
【０００４】
そこで、本発明は、上記の課題に鑑みてなされたものであり、その目的は、圧縮音声データの圧縮率およびジャンルに応じてイコライザを自動で設定することにより、再生される音声の音質を改善するオーディオ機器制御装置を提供することにある。
【課題を解決するための手段】
【０００５】
請求項１記載の発明では、イコライザ設定手段は記録媒体に記録されている音声データからビットレートおよびジャンルを読み込む。圧縮された音声データに基づいて再生される音声は、ビットレートすなわち圧縮率に応じて音質が変化する。すなわち、音声データに基づく音声は、圧縮率が大きくなるほど音質が低下する。一方、音声は、例えば音楽あるいは朗読などのようにジャンルによっても圧縮率の影響が異なる。特に、音楽では、クラシック、ロックあるいはポップスのようにジャンルによって音質に対する許容度は変化する。そこで、イコライザ設定手段は、音声データに含まれるビットレートおよびジャンルを読み込み、読み込んだビットレートおよびジャンルに基づいてイコライザを設定する。これにより、音声データは、ビットレートおよびジャンルに応じて周波数特性が調整される。したがって、圧縮音声データのビットレートおよびジャンルに応じてイコライザを自動で設定することができ、再生される音声の音質を改善することができる。
【０００６】
請求項２または３記載の発明では、イコライザ設定手段で設定される周波数特性は、入力手段から入力される。すなわち、ユーザは、音声データのビットレートおよびジャンルに応じた周波数特性に関する設定情報を入力手段からイコライザ設定手段に入力する。設定情報は、例えばウェブサイトで公開されているデータ、あるいはユーザが各音声データのビットレートおよびジャンルに応じて設定したデータが利用される。したがって、圧縮音声データのビットレートおよびジャンルに応じてイコライザを詳細に自動で設定することができ、再生される音声の音質を改善することができる。
【０００７】
請求項３記載の発明では、設定情報は複数準備されており、イコライザ設定手段はこの複数準備された設定情報のうち音声データのビットレートおよびジャンルに応じた適当な設定情報を選択する。したがって、複雑な処理を経ることなく、圧縮音声データのビットレートおよびジャンルに応じてイコライザを詳細に自動で設定することができ、再生される音声の音質を改善することができる。
【発明を実施するための最良の形態】
【０００８】
以下、本発明の一実施形態によるオーディオ機器制御装置について、図面に基づいて説明する。本実施形態の場合、オーディオ機器制御装置は、複数のオーディオ機器とナビゲーション装置とを一体化した車両用オーディオ−ナビ一体機（以下、「車載装置」という。）に適用する例について説明する。
図１に示すように、車載装置１０は、位置検出部１１、ＧＰＳ受信器１２、回転検出センサ１３、車速センサ１４、ＥＴＣ装置１５、表示部１６、ＶＩＣＳ受信器１７、地図データ読み取り部１８および制御部１９などを備えている。ＧＰＳ受信器１２は、車両の位置を検出するために、複数のＧＰＳ（Global Positioning System）衛星から電波を受信する。位置検出部１１は、ＧＰＳ受信器１２で受信した電波に基づいて、電波航法による車両の現在位置の算出する。
【０００９】
回転検出センサ１３は、例えばジャイロスコープから構成され、車両の旋回角度を検出する。車速センサ１４は、車両の走行時の速度を検出する。車載装置１０は、車速センサ１４が検出する車速から車両の走行距離を検出する。そして、これら車両の旋回角度および走行距離に基づいて、自立航法による車両の現在位置の算出が行われる。
ＥＴＣ装置１５は、公知のように路上に設置された路上機と通信を行うことにより、例えば有料道路の通行料金の支払いを可能とするものである。このＥＴＣ装置１５は、ＥＴＣインターフェイス２０を経由してバス１００に接続している。これにより、例えば路上機とＥＴＣ装置１５との間で支払いに関する通信が確立したとき、その支払い金額などはスピーカ１０１から音声で報知される。
【００１０】
表示部１６は、例えばＬＣＤなど画像を表示するディスプレイを有している。表示部１６は、車両の室内のインストルメントパネル中央部など、車両の乗員から見やすい位置に配置されている。表示部１６のディスプレイコントローラ２１は、例えば地図データ読み取り部１８で読み取られた地図データに基づく地図画像、および後述するオーディオ装置からの映像を表示部１６に表示するために、それらの画像あるいは映像信号に基づいて、表示部１６へ出力する駆動信号を生成する。表示部１６は、入力部２２を構成するタッチパネルを有している。これにより、表示部１６の画面に触れることにより、車載装置１０の各種操作が可能である。すなわち、制御部１９は、表示部１６に車載装置１０の各種の操作スイッチを含む操作画面が表示されているとき、タッチパネルによってユーザの画面への接触位置を検出することにより、いずれの操作スイッチがユーザによって操作されたかを判別する。このタッチパネルは、例えば赤外線方式あるいは抵抗膜方式など各種提案されているが、いずれの方式のタッチパネルも適用可能である。また、車載装置１０の操作は、タッチパネルに限らず、リモートコントローラや表示部１６の周囲に設けられた機械的なスイッチなどによって行ってもよい。これら、タッチパネル、リモートコントローラまたはスイッチなどは、バス１００に接続された入力部２２を構成している。これにより、入力部２２から制御部１９へ各種の入力が行われる。
【００１１】
ＶＩＣＳ受信器１７は、道路に敷設されたビーコンや各地のＦＭ放送局を通してＶＩＣＳセンターから配信される道路交通情報などの情報を受信する。このＶＩＣＳ受信器１７は、ＶＩＣＳインターフェイス２３を経由してバス１００に接続している。ＶＩＣＳ受信器１７が受信する情報は、例えば各道路の渋滞度に関する渋滞情報、あるいは事故や工事による通行止めや高速道路等の出入口閉鎖などの規制情報を含んでいる。これらの渋滞情報および規制情報は、表示部１６に道路地図画像が表示されているとき、その道路地図に重ねて表示される。
【００１２】
地図データ読み取り部１８は、地図データ格納部２４に格納された地図データを読み取って出力する。地図データは、表示部１６に表示する道路地図を描画するための基礎となるデータである。地図データは、ノードデータおよびリンクデータからなる道路データ、自然地形などを示す背景データ、地名などを表示するための文字データなどを含んでいる。地図データ格納部２４は、ＣＤ−ＲＯＭ、ＤＶＤ−ＲＯＭ、ハードディスクドライブ（ＨＤＤ）や半導体メモリなどが用いられる。なお、この地図データ格納部２４は、地図データの各種の施設を検索するための検索データ、および目的地までの経路案内を報知するための音声データなども格納している。
【００１３】
制御部１９は、ＣＰＵ２５、ＲＡＭ２６およびＲＯＭ２７を有するマイクロコンピュータを主体として構成されている。ＣＰＵ２５は、ＲＯＭ２７に記録されたコンピュータプログラムにしたがって作動し、上述した各センサや受信器などから信号を受け取って車両の現在位置を算出したり、その現在位置周辺の地図データを読み出して表示部１６に表示する処理および制御を行う。制御部１９は、目的地までの経路検索、目的地までの経路案内および所望の施設の検索など、各種のナビゲーション処理を実行する。ＲＡＭ２６は、これらの処理の実行の際に必要となるデータを一時的に保存する。制御部１９は、上述したナビゲーション処理に加えて、後述する各オーディオ機器や音質制御装置の動作を制御する。
【００１４】
車載装置１０は、オーディオ機器として大容量記録部２８、ＤＶＤデッキ２９、ＣＤデッキ３０、ラジオチューナ３１、ＭＤデッキ３２およびＴＶチューナ３３を備えている。大容量記録部２８は、例えばＨＤＤ３４あるいは半導体メモリ３５などを有している。ＤＶＤデッキ２９は、映像および音声データを記録するディジタルバーサタイルディスク（ＤＶＤ）を再生する。ＣＤデッキ３０は、音声データを記録するコンパクトディスク（ＣＤ）を再生する。ラジオチューナ３１は、ラジオ放送を受信する。ＭＤデッキ３２は、音声データを記録するミニディスク（ＭＤ）を再生する。ＴＶチューナ３３は、テレビ放送を受信する。
【００１５】
また、車載装置１０は、バス１００を経由して接続されているＤＶＤチェンジャー３６およびＣＤチェンジャー３７を備えている。ＤＶＤチェンジャー３６およびＣＤチェンジャー３７は、それぞれ複数のＤＶＤまたはＣＤを交換可能に収容している。ＤＶＤチェンジャー３６およびＣＤチェンジャー３７からの音声信号および映像信号は、外部機器インターフェイス３８を経由して車載装置１０に取り込まれる。大容量記録部２８を構成する半導体メモリ３５も、バス１００に接続している。これにより、半導体メモリ３５も、オーディオソースとして利用される。なお、大容量記録部２８を構成するＨＤＤ３４は、上述したＤＶＤデッキ２９、ＣＤデッキ３０あるいは半導体メモリ３５から読み込んだ音声データを記録可能である。
【００１６】
車載装置１０は、音質制御装置４０を備えている。音質制御装置４０は、ナビゲーション装置、ＥＴＣおよび各オーディオ機器からのオーディオ音声信号など車載装置１０の各部から出力される音声信号の音量、音質および音場を制御する。音質制御装置４０は、アンプ４１、イコライザ４２およびデジタルシグナルプロセッサ（ＤＳＰ）４３などから構成されている。アンプ４１は、音量を変更するためにゲインコントロールを行う。イコライザ４２は、音声データの周波数特性を変更して音質を制御する。ＤＳＰ４３は、音場を制御する。音質制御装置４０は、車内に設けられているスピーカ１０１と接続している。スピーカ１０１は、音質制御装置４０において音量、音質および音場が制御されたオーディオ音声を出力する。また、制御部１９は、所定のコンピュータプログラムにしたがって例えばＷＭＡ形式あるいはＭＰ３形式などの圧縮音声データを再生する。すなわち、制御部１９は、特許請求の範囲の再生手段を構成している。さらに、制御部１９は、イコライザ４２を設定するイコライザ設定手段としても機能する。ＤＶＤデッキ２９、ＣＤデッキ３０、ラジオチューナ３１、ＭＤデッキ３２、ＴＶチューナ３３、ＤＶＤチェンジャー３６およびＣＤチェンジャー３７などの再生機器、ならびに音質制御装置４０は、オーディオ機器を構成している。
【００１７】
車載装置１０は、オーディオ機器としてさらにＤＡＰ（Digital Audio Player）５１が接続されている。ＤＡＰ５１は、所定のプラグラムにしたがって圧縮された音声データを再生する。再生された音声データは、制御部１９のＣＰＵ２５と接続するＤＡＰインターフェイス５２へ入力される。そして、ＤＡＰインターフェイス５２へ入力された音声データは、音質制御装置４０へ出力される。
【００１８】
本実施形態による車載装置１０は、上述の構成を備えることにより、ユーザである車両の乗員の操作に応じて選択されたオーディオ機器で再生された音声をスピーカ１０１から出力する。また、車載装置１０は、画像信号に基づく画像を表示部１６に表示する。例えば、ユーザによってナビゲーション装置が選択されているとき、表示部１６には車両の現在位置およびその周辺道路の地図を示す画像が表示される。また、ナビゲーション装置が選択され、かつ目的地への経路案内が行われているとき、表示部１６にはその経路が道路地図に重ねて表示されるとともに、経路を案内する音声がスピーカ１０１から出力される。さらに、ユーザによって、映像および音声を記録するＤＶＤの再生が選択されているとき、表示部１６にはその映像が表示されるとともに、音声がスピーカ１０１から出力される。
【００１９】
次に、上記の構成による車載装置１０の制御について詳細に説明する。
（事前設定）
まず、ユーザによる事前設定の手順について説明する。ユーザは、事前設定において、後述する設定情報に含まれる各種の情報を設定する。
ユーザは、入力部２２から事前登録データを入力する（Ｓ１０１）。事前登録データは、例えばユーザ名あるいは設定情報の入力番号などを含んでいる。ユーザは、音量を自動設定するか否かを判断する（Ｓ１０２）。ステップＳ１０２において音量を自動設定すると判断した場合、制御部１９がオーディオソースごとに音量を自動で設定することになる（Ｓ１０３）。ここで、オーディオソースとしては、ＤＶＤデッキ２９で再生されるＤＶＤ、ＣＤデッキ３０で再生されるＣＤ、ＤＶＤチェンジャー３６で再生されるＤＶＤ、ＣＤチェンジャー３７で再生されるＣＤ、ＨＤＤ３４もしくは半導体メモリ３５に記録される圧縮音声データ、ラジオチューナ３１で再生されるＦＭ放送もしくはＡＭ放送、ＴＶチューナ３３で再生されるＴＶ放送、ならびにＤＡＰ５１に記録されている圧縮音声データなどが含まれている。ＨＤＤ３４、半導体メモリ３５およびＤＡＰ５１は、圧縮された音声データが格納された記録媒体を構成している。圧縮された音声データは、例えばＷＭＡあるいはＭＰ３などの圧縮ファイル形式で格納されている。ステップＳ１０２において音量を自動設定しないと判断した場合、ステップＳ１０３はスキップされ、ステップＳ１０４へ移行する。
【００２０】
ユーザは、音場を自動設定するか否かを判断する（Ｓ１０４）。ステップＳ１０４において音場を自動設定すると判断した場合、制御部１９がオーディオソースごとに音場を自動設定することになる（Ｓ１０５）。すなわち、制御部１９は、ＤＳＰ４３をオーディオソースごとに自動設定する。ステップＳ１０４において音場を自動設定しないと判断した場合、ステップＳ１０５はスキップされ、ステップＳ１０６へ移行する。
【００２１】
次に、ユーザは、圧縮された音声データでない音声データについてイコライザ４２を設定するか否かを判断する（Ｓ１０６）。すなわち、ユーザは、ＣＤやＤＶＤなど非圧縮のオーディオソースの音声データについて、再生される音声の周波数特性を調整するイコライザ４２を設定するか否かを判断する。ステップＳ１０６においてイコライザ４２を設定すると判断した場合、ユーザはイコライザ４２による音声の周波数特性を設定する（Ｓ１０７）。ステップＳ１０６においてイコライザ４２を設定しないと判断した場合、ステップＳ１０７はスキップされ、ステップＳ１０８へ移行する。イコライザ４２の設定は、入力部２２からユーザが入力する。
【００２２】
ユーザは、圧縮された音声データについてイコライザ４２を設定するか否かを判断する（Ｓ１０８）。すなわち、ユーザは、ＨＤＤ３４、半導体メモリ３５やＤＡＰ５１などの圧縮オーディオソースに格納されている圧縮音声データについて、再生される音声の周波数特性を調整するイコライザ４２を設定するか否かを判断する。
ステップＳ１０８においてイコライザ４２を設定すると判断した場合、ユーザは圧縮音声データのビットレート（圧縮率）ごとに、イコライザ４２を設定する（Ｓ１０９）。すなわち、ユーザは、圧縮オーディオに格納されている圧縮音声データのビットレートごとに、イコライザ４２による周波数特性を調整し、設定情報を作成する。そして、ビットレートごとに設定情報を作成すると、ユーザは圧縮音声データのジャンルごとに、イコライザ４２を設定する（Ｓ１１０）。すなわち、ユーザは、圧縮オーディオに格納されている圧縮音声データのジャンルごとに、イコライザ４２による周波数特性を調整し、設定情報を作成する。ステップＳ１０８においてイコライザ４２を設定しないと判断した場合、ステップＳ１０９およびステップＳ１１０はスキップされ、ステップＳ１１１へ移行する。
【００２３】
ステップＳ１０８においてイコライザ４２を設定しないと判断、またはステップＳ１１０の処理が完了すると、ユーザは、ステップＳ１０１で入力した事前登録データ、Ｓ１０３およびＳ１０５で自動設定するか否かの情報、Ｓ１０７で設定されたイコライザ４２の設定、ならびにステップＳ１０９およびステップＳ１１０で作成された設定を、ＨＤＤ３４や半導体メモリ３５などに設定情報として保存する（Ｓ１１１）。
【００２４】
以上の手順により、ユーザは車載装置１０に事前設定を入力する。事前設定された設定情報は、例えば図３に示すようにマップとして作成され、ＨＤＤ３４や半導体メモリ３５などに保存される。図３（Ａ）は、ステップＳ１０９において、ＨＤＤ３４、半導体メモリ３５あるいはＤＡＰ５１に格納されている圧縮音声データのビットレートに応じて設定されたイコライザ４２の設定情報を示している。図３（Ｂ）は、ステップＳ１１０において同様に圧縮音声データのジャンルに応じて設定されたイコライザ４２の設定情報を示している。図３（Ｃ）は、ステップＳ１０２、ステップＳ１０４およびステップＳ１０７において、非圧縮のオーディオソースごとに自動または手動で設定された音量、音場およびイコライザ４２の設定情報を示している。図３に示すマップは一例である。ユーザは、入力部２２から所望の音量、音場および音質を任意に入力することができる。
【００２５】
（処理の実施形態）
次に、上記の事前設定がされた車載装置１０による処理の実施形態について図４に基づいて説明する。制御部１９のＣＰＵ２５は、ＲＯＭ２７に記録されているコンピュータプログラムにしたがって以下の処理を実施する。
制御部１９は、音声データの再生指示があったか否かを判断する（Ｓ２０１）。制御部１９は、再生指示があると、事前設定された設定情報を読み込む（Ｓ２０２）。すなわち、制御部１９は、ＨＤＤ３４または半導体メモリ３５などに記録されている設定情報を取得する。そして、制御部１９は、再生リストを読み込む（Ｓ２０３）。再生リストとは、図５に示すように再生を行う順序を含む音声データのリストである。再生リストは、例えば再生される音声のオーディオソース、演奏終了条件、音量設定、ＤＳＰ設定、イコライザ設定、ビットレートおよびジャンルなどを含んでいる。ユーザは、再生に先立ってあらかじめ再生リストを作成する。ユーザは、再生を希望するオーディオソースを順に選択して再生リストを作成する。また、ユーザは、オーディオソースごとの演奏終了条件を手動または自動で設定する。これにより、制御部１９は、作成された再生リストに含まれるオーディオソースごとに音量設定、ＤＳＰ設定およびイコライザ設定をステップＳ２０２で読み込んだ設定情報から取得する。また、制御部１９は、再生リストに含まれるオーディオソースが圧縮音声データに基づくものである場合、この圧縮音声データのビットレートおよびジャンルもあわせて取得する。本実施形態の場合、制御部１９は、再生リストに含まれるオーディオソースから、音声データが圧縮音声データであるか否かを判断する。
【００２６】
制御部１９は、再生対象となった音声ファイルが圧縮音声データ以外であるかを判断する（Ｓ２０４）。すなわち、制御部１９は、再生対象となった音声ファイルが非圧縮の音声データであるかを判断する。例えばＣＤ、ＤＶＤやＦＭラジオをオーディオソースとする音声データは、非圧縮である。そのため、制御部１９は、これら非圧縮の音声データを再生するとき、音量および音場を設定した後（Ｓ２０５）、イコライザ４２により周波数特性を設定し（Ｓ２０６）、再生の準備を行う（Ｓ２０７）。そして、制御部１９は、再生の対象となっている音声データのオーディオソースがラジオまたはテレビ以外であるか否かを判断する（Ｓ２０８）。制御部１９は、再生の対象となっている音声データのオーディオソースがラジオまたはテレビのとき、ラジオまたはテレビの再生時間（すなわち、放送時間）を規定するために、タイマをセットする（Ｓ２０９）。制御部１９は、再生の対象となっている音声データのオーディオソースがラジオもしくはテレビ以外のとき、またはオーディオソースがラジオもしくはテレビのときであってタイマを設定した後、対象となっている音声データを再生する（Ｓ２１０）。
【００２７】
制御部１９は、対象となっている音声データの再生が終了すると、再生リストに含まれる再生終了条件に合致するか否かを判断する（Ｓ２１１）。再生終了条件は、再生の対象となっている音声データのオーディオソースに応じて設定されている。例えばオーディオソースがＣＤの場合、ＣＤに含まれる全楽曲すなわち全音声データが再生されると再生終了となる。このような再生終了条件は、図５に示す例のように、各オーディオソースに応じてユーザが任意に設定可能である。
【００２８】
制御部１９は、再生終了条件に合致したとき、ステップＳ２０４にリターンし、再生リストに含まれる次のオーディオソースによる音声データを再生する。一方、制御部１９は、ステップＳ２１１において再生終了条件に合致しないと判断したとき、ユーザから再生停止指示があったか否かを判断する（Ｓ２１２）。制御部１９は、ステップＳ２１２において再生停止指示があったと判断すると、音声データの再生を停止する（Ｓ２１３）。一方、制御部１９は、ステップＳ２１２において再生停止指示がなかったと判断すると、ステップＳ２１１にリターンする。
【００２９】
ところで、ステップＳ２０４において、再生の対象となっている音声データが圧縮音声データであると判断されると、制御部１９は圧縮音声データを読み込む（Ｓ２２１）。具体的には、制御部１９は、ＨＤＤ３４、半導体メモリ３５あるいはＤＡＰ５１に格納されている圧縮音声データを読み込む。そして、制御部１９は、読み込んだ圧縮音声データから、この圧縮音声データのビットレート（圧縮率）を読み込む（Ｓ２２２）。圧縮音声データは、固有の情報として自身のビットレートを含んでいる。そのため、制御部１９は、圧縮音声データに含まれるビットレートを読み込むことにより、再生の対象となる圧縮音声データのビットレートを取得する。制御部１９は、ステップＳ２２２において圧縮音声データのビットレートを読み込むと、読み込んだビットレートに応じてイコライザ４２の設定情報を決定する（Ｓ２２３）。ＨＤＤ３４や半導体メモリ３５には、図３（Ａ）に示すように圧縮音声データのビットレートに応じたイコライザ４２の設定情報が記録されている。制御部１９は、ステップＳ２２２において読み込んだ圧縮音声データのビットレートから、イコライザ４２の設定情報を選択する。そして、制御部１９は、選択したイコライザ４２の設定情報を、その圧縮音声データを再生する際のビットレートに基づくイコライザ４２における設定情報として決定する。
【００３０】
また、制御部１９は、読み込んだ圧縮音声データからジャンルを読み込む（Ｓ２２４）。圧縮音声データは、固有の情報としてビットレートに加えジャンルを含んでいる。そのため、制御部１９は、圧縮音声データに含まれるジャンルを読み込むことにより、再生の対象となる圧縮音声データのジャンルを取得する。制御部１９は、ステップＳ２２４において圧縮音声データのジャンルを読み込むと、読み込んだジャンルに応じてイコライザ４２の設定情報を決定する（Ｓ２２５）。ＨＤＤ３４や半導体メモリ３５には、図３（Ｂ）に示すように圧縮音声データのジャンルに応じたイコライザ４２の設定情報も記録されている。制御部１９は、ステップＳ２２４において読み込んだ圧縮音声データのジャンルから、イコライザ４２の設定情報を取得する。そして、制御部１９は、選択したイコライザ４２の設定情報を、その圧縮音声データを再生する際のジャンルに基づくイコライザ４２における設定情報として決定する。
【００３１】
そして、制御部１９は、ステップＳ２２３で決定したビットレートに基づくイコライザ４２における設定情報、およびステップＳ２２５で決定したジャンルに基づくイコライザ４２における設定情報から再生の対象となる圧縮音声データを再生する際のイコライザ４２における設定情報を最終的に決定する（Ｓ２２６）。すなわち、制御部１９は、再生の対象となる圧縮音声データを再生する際、ビットレートおよびジャンルに基づいて調整した最終的な設定情報を決定する。ステップＳ２２６においてイコライザ４２の設定情報が決定されると、制御部１９はステップＳ２０５にリターンし、ステップＳ２０５における音量および音場の設定、設定情報に基づくステップＳ２０６におけるイコライザ４２の設定、ステップＳ２０７における再生の準備、ステップＳ２０８におけるオーディオソースの判断を経た後、ステップＳ２１０において、圧縮音声データの再生を実施する。
【００３２】
以上の手順により、制御部１９は、再生の対象となっている圧縮音声データのビットレートおよびジャンルに基づいて、イコライザ４２を設定する。
以上説明した本発明の一実施形態では、制御部１９はＨＤＤ３４、半導体メモリ３５やＤＡＰ５１に記録されている圧縮音声データからビットレートおよびジャンルを読み込む。圧縮された音声データに基づいて再生される音声は、ビットレートおよびジャンルに応じて音質が変化する。そして、制御部１９は、読み込んだビットレートおよびジャンルに基づいてイコライザ４２を設定する。これにより、音声データは、ビットレートおよびジャンルに応じて周波数特性が調整される。したがって、圧縮音声データのビットレートおよびジャンルに応じてイコライザ４２を自動で設定することができ、再生される音声の音質を改善することができる。
【００３３】
また、本発明の一実施形態では、制御部１９でイコライザ４２の設定に用いられる設定情報は、複数の情報が入力部２２から入力され、ＨＤＤ３４や半導体メモリ３５に記録されている。すなわち、ユーザは、音声データのビットレートおよびジャンルに応じた周波数特性に関する設定情報を入力部２２から入力し、ＨＤＤ３４や半導体メモリ３５に保存する。設定情報は、例えばウェブサイトで公開されているデータ、あるいはユーザが各音声データのビットレートおよびジャンルに応じて設定したデータが利用される。したがって、圧縮音声データのビットレートおよびジャンルに応じてイコライザ４２を詳細に自動で設定することができ、再生される音声の音質を改善することができる。
【００３４】
なお、上述の実施形態では、ＣＤおよびＤＶＤに非圧縮の音声データを記録する場合について説明した。しかし、ＣＤおよびＤＶＤに圧縮形式の音声データを記録し、ＨＤＤ３４や半導体メモリ３５などに記録された圧縮音声データと同様に、圧縮音声データのビットレートあるいはジャンルに基づいてイコライザ４２の設定を変更する構成としてもよい。また、ＭＤについても非圧縮または圧縮形式の音声データを記録して、上記と同様に再生する構成としてもよい。
【００３５】
以上説明した本発明は、上記実施形態に限定されるものではなく、その要旨を逸脱しない範囲で種々の実施形態に適用可能である。
【図面の簡単な説明】
【００３６】
【図１】本発明の一実施形態による車載装置を示すブロック図
【図２】本発明の一実施形態による車載装置の事前設定の流れを示す概略図
【図３】本発明の一実施形態による車載装置の設定情報の例を示す概略図
【図４】本発明の一実施形態による車載装置の処理の流れを示す概略図
【図５】本発明の一実施形態による車載装置の再生リストを示す概略図
【符号の説明】
【００３７】
図面中、１０は車載装置（オーディオ機器制御装置）、１９は制御部（再生手段、イコライザ設定手段）、２２は入力部、３４はＨＤＤ（記録媒体）、３５は半導体メモリ（記録媒体）、４２はイコライザ、５１はＤＡＰ（記録媒体）を示す。
【図１】
2009288512.tif 000003
【図２】
2009288512.tif 000004
【図３】
2009288512.tif 000005
【図４】
2009288512.tif 000006
【図５】
2009288512.tif 000007